(57)【要約】【課題】パレットから、くし歯状用紙仮受台へ用紙束を容易に移載することができ、用紙束をパレット上に載置して長時間保管しても下方の用紙に押し跡が付かないパレットと昇降台の組合せ体を提供する。【解決手段】パレットと昇降台の組合せ体は、パレット１０と、昇降台２０とを備えている。パレット１０は下方支持体１１と、下方支持体１１上にスペーサ１３を介して設けられた上方支持板１２とを含むパレット本体１０Ａと、パレット本体１０Ａの下方支持体１１と上方支持板１２との間に設けられた中間部材１５とを有している。パレット１０を昇降台２０上に載置した場合、昇降台２０の持上ピン２２が中間部材１５を持上げて中間部材１５の細長状突起１７が上方支持板１２の細長状開口１４から上方へ突出する。パレット１０を昇降台２０から取外した場合、中間部材１５の細長状突起１７が細長状開口１４内に引込む。【選択図】図１
2010254353.tif 000002
【特許請求の範囲】
【請求項１】
用紙束を保持するパレットと、このパレットを支持する昇降台とを備えたパレットと昇降台の組合せ体において、
パレットは下方支持体と、下方支持体上にスペーサを介して設けられ、複数の細長状開口を有する上方支持板とを含むパレット本体と、
パレット本体の下方支持体と上方支持板との間に配置され、中間支持板と、中間支持板上面に設けられ上方支持板の細長状開口内に挿入自在の複数の細長状突起とを有する中間部材とを備え、
昇降台は昇降台本体と、昇降台本体から上方にパレット本体を貫通して延び、中間部材を持上げる複数の持上ピンとを備え、
昇降台上にパレットを載置した場合に、持上ピンが中間部材を持上げて、細長状突起が上方支持板表面から上方へ突出し、昇降台からパレットを取外した場合に中間部材が下方支持体上に支持され、細長状突起が上方支持板表面から下方へ引込むことを特徴とするパレットと昇降台の組合せ体。
【請求項２】
中間部材の中間支持板底面に、持上ピンに当接自在の複数の当接板を設けたことを特徴とする請求項１記載のパレットと昇降台の組合せ体。
【請求項３】
下方支持体に持上ピンが挿入される挿入孔が設けられ、中間支持板に設けられた当接板は挿入孔内に嵌合し、これによって中間支持板が下方支持体に対して位置決めされることを特徴とする請求項２記載のパレットと昇降台の組合せ体。
【請求項４】
請求項１記載のパレットと昇降台の組合せ体に用いられるパレット。
【請求項５】
中間部材の中間支持板底面に、持上ピンに当接自在の複数の当接板を設けたことを特徴とする請求項４記載のパレット。
【請求項６】
下方支持体に持上ピンが挿入される挿入孔が設けられ、中間支持板に設けられた当接板は挿入孔内に嵌合し、これによって中間支持板が下方支持体に対して位置決めされることを特徴とする請求項５記載のパレット。
【発明の詳細な説明】
【技術分野】
【０００１】
本発明は枚葉紙印刷や枚葉打抜機において用紙をノンストップで給紙したり、または用紙をノンストップで排紙する際用いられる、パレットと昇降台の組合せ体及びパレットに係り、とりわけ長時間用紙束を載せても用紙束の下方の用紙に押し跡又は傷が付くことのないパレットと昇降台の組合せ体及びパレットに関する。
【背景技術】
【０００２】
従来より、枚葉印刷機や枚葉打抜機において、用紙をノンストップで給紙するノンストップ給紙機構、または用紙をノンストップで排紙するノンストップ排紙機構が設置されている。このようなノンストップ給紙機構およびノンストップ排紙機構は、いずれも用紙束を載せるパレットと、パレットを昇降自在に支持する昇降台とを備えている。
【０００３】
このうち、パレットは上面に凹凸部が形成され、例えばノンストップ給紙機構においてパレット上の用紙束が減少した場合、パレットの上面に形成された凹凸部に、くし歯状の用紙仮受台を挿入して、パレット上の用紙束を用紙仮受台により一時的に受け止めるようになっている（特許文献１参照）。この間、空のパレットはそのまま降下し、用紙束を積んだ新たなパレットが上昇し、用紙仮受台上の用紙束と新たなパレット上の用紙束とが合体する。このようにしてノンストップ給紙機構によって、ノンストップ給紙が行われる。
【０００４】
上述のように、特許文献１に示されたパレットにはその上面に凹凸部が形成されているが、パレット上に用紙束を長時間積んでおくと、用紙束のうち下方の用紙に、用紙束の重さにより凹凸部の形状に対応する押し跡又は傷が付くことがある。
【先行技術文献】
【特許文献】
【０００５】
【特許文献１】特開２００１−１３９１６３号公報
【発明の概要】
【発明が解決しようとする課題】
【０００６】
本発明はこのような点を考慮してなされたものであり、パレット上に用紙束を長時間積載しておいても用紙に押し跡又は傷が付くことのないパレットと昇降台との組合せ体及びパレットを提供することを目的とする。
【課題を解決するための手段】
【０００７】
本発明は、用紙束を保持するパレットと、このパレットを支持する昇降台とを備えたパレットと昇降台の組合せ体において、パレットは下方支持体と、下方支持体上にスペーサを介して設けられ、複数の細長状開口を有する上方支持板とを含むパレット本体と、パレット本体の下方支持体と上方支持板との間に配置され、中間支持板と、中間支持板上面に設けられ上方支持板の細長状開口内に挿入自在の複数の細長状突起とを有する中間部材とを備え、昇降台は昇降台本体と、昇降台本体から上方にパレット本体を貫通して延び、中間部材を持上げる複数の持上ピンとを備え、昇降台上にパレットを載置した場合に、持上ピンが中間部材を持上げて、細長状突起が上方支持板表面から上方へ突出し、昇降台からパレットを取外した場合に中間部材が下方支持体上に支持され、細長状突起が上方支持板表面から下方へ引込むことを特徴とするパレットと昇降台の組合せ体である。
【０００８】
本発明は、中間部材の中間支持板底面に、持上ピンに当接自在の複数の当接板を設けたことを特徴とするパレットと昇降台の組合せ体である。
【０００９】
本発明は、下方支持体に持上ピンが挿入される挿入孔が設けられ、中間支持板に設けられた当接板は挿入孔内に嵌合し、これによって中間支持板が下方支持体に対して位置決めされることを特徴とするパレットと昇降台の組合せ体である。
【００１０】
本発明は、上記記載のパレットと昇降台の組合せ体に用いられるパレットである。
【００１１】
本発明は、中間部材の中間支持板底面に、持上ピンに当接自在の複数の当接板を設けたことを特徴とするパレットである。
【００１２】
本発明は、下方支持体に持上ピンが挿入される挿入孔が設けられ、中間支持板に設けられた当接板は挿入孔内に嵌合し、これによって中間支持板が下方支持体に対して位置決めされることを特徴とするパレットである。
【発明の効果】
【００１３】
以上のように本発明によれば、パレットを昇降台上に載置した場合、中間部材の細長状突起がパレットの上方支持板表面から上方へ突出するため、細長状突起の間に、くし歯状用紙仮受台を挿入することにより、パレットと用紙仮受台との間で、スムーズに用紙束を移載することができる。またパレットを昇降台から取外した場合、中間部材の細長状突起がパレットの上方支持板表面から下方へ引込むため、上方支持板表面に凹凸部が形成されることはない。このためパレット上に用紙束を保持し、このパレットを長時間床面上に保管しておいても用紙束の下方の用紙に押し跡が付いたり、傷が付くことはない。
【図面の簡単な説明】
【００１４】
【図１】図１（ａ）は本発明によるパレットと昇降台の組合せ体を示す平面図、図１（ｂ）はパレットと昇降台の組合せ体を示す側面図であって昇降台からパレットを取外した状態を示す図。
【図２】図２はパレットと昇降台の組合せ体を示す側面図であって昇降台上にパレットを載置した状態を示す図。
【図３】図３はくし歯状の用紙仮受台上に用紙束を載置した状態を示す図。
【図４】図４（ａ）はパレットのパレット本体を示す平面図、図４（ｂ）はパレット本体を示す側面図。
【図５】図５（ａ）は昇降台を示す平面図、図５（ｂ）は昇降台を示す側面図。
【図６】図６（ａ）はパレットの中間部材を示す平面図、図６（ｂ）は中間部材を示す側面図。
【図７】図７はくし歯状用紙仮受台を示す図。
【発明を実施するための形態】
【００１５】
以下、図面を参照して本発明の実施の形態について説明する。
【００１６】
図１乃至図７は本発明によるパレットと昇降台の組合せ体及びパレットの一実施の形態を示す図である。
【００１７】
本発明によるパレットと昇降台の組合せ体及びパレットは、枚葉印刷機または枚葉打抜機に設置され、ノンストップで用紙を給紙するノンストップ給紙機構、またはノンストップで用紙を排紙するノンストップ排紙機構に組込まれている。
【００１８】
本実施の形態において、パレットと昇降台の組合せ体及びパレットがノンストップ給紙機構に組込まれた場合について、以下説明する。
【００１９】
図１（ａ）（ｂ）、図２および図３に示すように、パレットと昇降台の組合せ体１は、多数の用紙からなる用紙束３を保持するパレット１０と、このパレット１０を支持する昇降台２０とを備えている。このうち昇降台２０は、例えば枚葉印刷機に設置されノンストップで用紙を給紙するノンストップ給紙機構（図示せず）に組込まれている。
【００２０】
すなわち昇降台２０は図１（ａ）（ｂ）、図２および図５（ａ）（ｂ）に示すように、ノンストップ給紙機構に組み込まれるとともに、床面５から降下した収納溝６内に収納され、昇降機構２により昇降して収納溝６内の下方位置と、用紙のノンストップ給紙を行う上方位置との間で昇降される。
【００２１】
このような昇降台２０は、昇降台本体２１と、昇降台本体２１から上方に向かって延びる複数、例えば６本の持上ピン２２とを有しており、この持上ピン２２は後述のようにパレット１０のパレット本体１０Ａ内を貫通して中間部材１５を持上げるようになっている。ここで図５（ａ）（ｂ）は昇降台２０の詳細を示す図である。
【００２２】
一方、パレット１０は図１（ａ）（ｂ）、図２、図４（ａ）（ｂ）および図６（ａ）（ｂ）に示すように、下方支持体１１と、下方支持体１１上にスペーサ１３を介して設けられた上方支持板１２とを有するパレット本体１０Ａと、パレット本体１０Ａの下方支持体１１と上方支持板１２との間に配置された中間部材１５とを備えている。ここで図４（ａ）（ｂ）はパレット本体１０Ａの詳細を示す図であり、図６（ａ）（ｂ）は中間部材１５の詳細を示す図である。
【００２３】
図１（ａ）（ｂ）、図２および図４（ａ）（ｂ）に示すように、パレット本体１０Ａの上方支持板１２には、複数、例えば６本の細長状開口１４が設けられ、パレット本体１０Ａは全体として合成樹脂製となっている。またパレット本体１０Ａの下方支持体１１は中実状の合成樹脂からなり、下方支持体１１内には、昇降台２０の持上ピン２２が挿入される挿入孔１１ａが形成されている。またパレット本体１０Ａの下方支持体１１には、その側面にフォークリフトの爪が挿入される開口１９が設けられている。
【００２４】
また図１（ａ）（ｂ）、図２および図６（ａ）（ｂ）に示すように、中間部材１５は中間支持板１６と、中間支持板１６上面に設けられ、上方支持板１２の細長状開口１４内に挿入自在の複数（６本）の細長状突起１７が設けられている。この場合、細長状突起１７は、上方支持板１２上面に台座１７ａを介して設けられている。
【００２５】
また中間支持板１６の底面には、昇降台２０の持上ピン２２に当接する当接板１８が設けられている。
【００２６】
中間部材１５の中間支持板１６および細長状突起１７はいずれも合成樹脂製となっており、他方昇降台２０の昇降台本体２１および持上ピン２２は、例えば金属製（鋼製またはステンレス製）となっている。このため持上ピン２２により中間支持板１６の底面が傷付くことがないよう、中間支持板１６の底面に、硬質の合成樹脂製当接板１８が設けられている。当接板１８は中間支持板１６の底面から突出し、下方支持体１１の挿入孔１１ａ内に嵌合するようになっている。このように中間支持板１６の当接板１８が下方支持体１１の挿入孔１１ａ内に嵌合して、中間支持板１６が下方支持体１１に対して精度良く位置決めされる。
【００２７】
そして昇降台２０上にパレット１０を載置した場合、昇降台２０の持上ピン２２が中間部材１５を持上げて、細長状突起１７が上方支持板１２の細長状開口１４内を上方へ移動する。このとき細長状突起１７が上方支持板１２の表面から上方へ突出する（図２参照）。
【００２８】
他方、昇降台２０からパレット１０を取外した場合、パレット１０の中間部材１５が降下し、中間部材１５の当接板１８が下方支持体１１の挿入孔１１ａ内に嵌合する。同時に中間部材１５の細長状突起１７が上方支持板１２の細長状開口１４内を下方へ移動し、細長状突起１７が上方支持板１７表面から下方へ引込む（図１（ｂ）参照）。
【００２９】
なお、中間部材１５はパレット本体１０Ａの下方支持体１１と上方支持板１２との間の空間内に収納され、中間部材１５の細長状突起１７が上方支持板１２の細長状開口１４内に挿入されている。この場合、上方支持板１２の細長状開口１４を上方支持板１２の一側縁まで延ばして一側縁から外方へ開口させてもよい。
【００３０】
この場合、パレット本体１０Ａに対して中間部材１５を細長状開口１４が開口する一側縁側から、下方支持体１１と上方支持板１２との間の空間内に側方から摺動させて収納することができる（図１（ａ）の矢印Ｌ方向）。
【００３１】
次にこのような構成からなる本実施の形態の作用について説明する。
【００３２】
まずノンストップ給紙機構に組込まれた昇降台２０が床面５から降下した収納溝６内に収納されている（図１（ｂ）参照）。すなわち昇降台２０は昇降機構２により降下されて、下方位置にある。
【００３３】
この間、パレット１０は、床面５の別の場所に載置されており、パレット１０上には多数の用紙からなる用紙束３が保持されている。このときパレット１０の中間部材１５は下方支持体１１により支持されているため、中間部材１５の細長状突起１７は上方支持板１２の細長状開口１４内にあって、上方支持板１２の表面から下方へ引込んでいる。このため用紙束３は上方支持板１２の表面全域で支持されることになる。
【００３４】
このように用紙束３は、上方支持板１２の表面全域で支持されるとともに、上方支持板１２の表面に凹凸部は形成されないので、長時間パレット１０上に用紙束３を保持しても、用紙束３のうち下方の用紙に対して用紙束の重量により凹凸形状の押し跡が付いたり傷が付いたりすることはない。
【００３５】
次に用紙束３が保持されたパレット１０がフォークリフト（図示せず）により搬送されて、昇降台２０上まで搬送される。このときフォークリフトはパレット１０の開口１９内に爪を挿入してパレット１０を搬送する。
【００３６】
次に用紙束３が保持されたパレット１０は、昇降台２０上に載置される。このとき、昇降台２０の持上ピン２２が中間部材１５の中間支持板１６に設けられた当接板１８に当接して中間支持板１６を持上げる。同時に中間部材１５の細長状突起１７が、上方支持板１２の細長状開口１４を上方に移動して、上方支持板１２の表面から上方へ突出する。このようにして用紙束３は上方支持板１２の表面から上方へ突出する細長状突起１４により支持される（図２（ａ）参照）。
【００３７】
次に昇降台２０が昇降機構２により上昇し、用紙のノンストップ給紙を行う上方位置（図３参照）まで達して停止する。
【００３８】
この上方位置において、パレット１０上に載置された用紙束３から用紙が一枚ずつノンストップで給紙される。ノンストップ給紙が所定時間行われると、上方位置にあるパレット１０上の用紙束３の量が少なくなる。このとき、レール３０に沿って用紙仮受台３１が水平方向に移動し、ノンストップ給紙を行う上方位置まで達する（図３）。そして用紙仮受台３１はパレット１０の上方支持板１２から上方へ突出する細長状突起１７間に挿入されて量が少なくなった用紙束３を受けとめる。
【００３９】
すなわち用紙仮受台３１は、図７に示すように連結部材３１ｂと、連結部材３１に連結された多数の棒体３１ａとを有するくし歯状をなしている。そして用紙仮受台３１の棒体３１ａを、パレット１０の上方支持板１２から上方へ突出する細長状突起１７間に挿入することにより、パレット１０上の用紙束３を受けとめ、用紙束３を用紙仮受台３１側へ移載することができる。
【００４０】
なお、図７において、連結部材３１ｂの側面には把手３１ｃが設けられる。
【００４１】
次に用紙束３が用紙仮受台３１側へ移載され空となったパレット１０は、昇降機構２によって降下する昇降台２０により下方へ移動する。
【００４２】
昇降台２０が昇降機構２により降下し下方位置に達すると、昇降台２０上から空のパレット１０が取外され、代わりに用紙束３を保持した新たなパレット１０が下方位置にある昇降台２０上に載置される。次に昇降台２０が昇降機構２により上昇し、少量の用紙束３を保持する用紙仮受台３１の直下まで達する。
【００４３】
その後、用紙仮受台３１が上方位置から水平方向にレール３０に沿って移動して退避し、このことにより用紙仮受台３１上の用紙束３とパレット１０上の用紙束３とが合体する。この間、用紙仮受台３１上の用紙束３から連続的に用紙が給紙される。
【００４４】
以上のように本実施の形態によれば、パレット１０上に用紙束３を保持し、このパレット１０を床面５上に保管しておいた場合、パレット１０の上方支持板１２から細長状突起１７が下方へ引込んだ状態となる。このためパレット１０上に用紙束３を保持し、このパレット１０を長時間保管しておいても、用紙束３は上方支持板１２の表面全域で支持されることになり、上方支持板１２の表面に凹凸部がないため、用紙束３の重量により下方の用紙に対して押し跡が付くことはなく、また用紙に傷が付くことはない。また、用紙束３を保持したパレット１０を昇降台２０上に載置した場合、パレット１０の上方支持板１２表面から細長状突起１７が上方へ突出する。このため、給紙機構の上方位置まで昇降台２０を上昇させ、そしてくし歯状の用紙仮受台３１をレール３０に沿って水平方向に移動し、パレット１０の上方支持板１２上方へ突出する細長状突起１７間に挿入することにより、用紙仮受台３１をパレット１０と用紙束３との間に配置することができ、パレット１０上の用紙束３を容易かつ用紙仮受台３１側へ移載することができる。
【００４５】
なお、上記実施の形態において、パレットと昇降台の組合せ体１をノンストップ給紙機構に組込んだ例について説明したが、これに限らずパレットと昇降台の組合せ体１をノンストップ排紙機構に組込んでもよい。この場合は、上方位置に用紙仮受台３１を配置しておき、排紙される用紙を用紙仮受台３１により受け止める。次に用紙仮受台３１の直下まで昇降台２０により空のパレット１０を上昇させる。このとき空のパレット１０の上部支持板１２から上方に向かって細長状突起１７が突出しているため、細長状突起１７間に用紙仮受台３１を配置することにより、用紙仮受台３１上の用紙束３をパレット１０側へ移載することができる。
【００４６】
またパレット１０全体を合成樹脂製とし、パレット本体１０Ａの下方支持体１１を中実に形成し、この下方支持体内部に挿入孔１１ａを設けた例を示したが、下方支持体１１を中空状に形成し、この下方支持体１１の内部に挿入孔１１ａを形成する配管を設けてもよい。
【符号の説明】
【００４７】
１  パレットと昇降台の組合せ体
２  昇降機構
３  用紙束
１０  パレット
１０Ａ  パレット本体
１１  下方支持体
１１ａ  挿入孔
１２  上方支持板
１３  スペーサ
１４  細長状開口
１５  中間部材
１６  中間支持板
１７  細長状突起
１８  当接板
１９  開口
２０  昇降台
２１  昇降台本体
２２  持上ピン
【図１】
2010254353.tif 000003
【図２】
2010254353.tif 000004
【図３】
2010254353.tif 000005
【図４】
2010254353.tif 000006
【図５】
2010254353.tif 000007
【図６】
2010254353.tif 000008
【図７】
2010254353.tif 000009